(57)【要約】【課題】後頭受け部の左右に側頭受け部を連接させた頭部載置部の下側縁に頸部載置部を配置させた枕において、枕の表面に落ち込み凹部が形成されないようにすること。【解決手段】頭部載置部と頸部載置部との間並びに後頭受け部と側頭受け部との間を、その側縁を枕の表地と裏地とに縫合させたマチ布を区画壁とした。【選択図】図２
2004321455.tif 000002
【特許請求の範囲】
【請求項１】
後頭受け部の左右に側頭受け部を連接させた頭部載置部の下側縁に頸部載置部を配置した枕において、頭部載置部と頸部載置部との間並びに後頭受け部と側頭受け部との間を、その側縁を枕の表地と裏地とに縫合させたマチ布を区画壁とした枕。
【請求項２】
マチ布の端部を区画壁の長さより長く形成して自由端となし、これを屈曲させてマチ布が交差する枕の外周部内側又は他のマチ布に沿わせた請求項１に記載の枕。
【請求項３】
頸部載置部並びに後頭受け部及び側頭受け部の詰め物充填口を独立させてある請求項１又は２に記載の枕。
【発明の詳細な説明】
【０００１】
【技術分野】
本発明は、後頭受け部の左右に側頭受け部を連接させた頭部載置部の下側縁に頸部載置部を配置した枕に関するものである。
【０００２】
【従来技術とその問題点】
この種の枕としては、特開２００１−１０４１２７号公報開示の枕が知られている。
この枕１は、図１に示したように、後頭支持部２と側頭支持部３、３との間を表地と裏地に縫合させたカロテープ４、４で仕切っているが、頸部支持部５と後頭支持部２及び側頭支持部３、３との間は表地と裏地とを直接縫合して仕切る構成が採用されている。
この枕は、頸部支持部５に弾力のある球状ウールを充填させ、後頭支持部２にはダウンとスモールフェザーを、側頭支持部３、３にはフェザーをそれぞれ充填させていて、後頭支持部２は柔らかく、側頭支持部３が硬くなるように設計されている。後頭支持部２や側頭支持部３はいずれも重い頭を支えるのであるから、それ相応の反発弾性を持たせる必要があり、支持部に多量の羽毛が充填されることになる。
【０００３】
ところが、後頭支持部２及び側頭支持部３、３との間はカロテープ４、４によって一定の高さを確保させているものの、これらと頸部支持部５との間は表地と裏地とを直接縫合させて仕切られているから、その部分ではカロテープ４の端部が高さを失うことになる。この状態では、仕切り部が直交する支持部の内側コーナー部６、６（図１の点描部分参照）では、表地と裏地とが密着して詰め物の充填スペースを十分に確保することができないことになる。
そうすると、多量の羽毛を充填させた場合、後頭支持部２や側頭支持部の中央部分は、充填された羽毛によって膨らむものの、コーナー部６、６では羽毛の充填量が極端に少なくなるため、枕の表地が落ち込んだ状態となって凹部を形成させてしまうことになる。
したがって、後頭支持部及び側頭支持部の膨らんだ中央部分の両側に落ち込み凹部を位置させた状態では、後頭部又は側頭部のいずれを載置させても安定感が得られない不都合があった。
【０００４】
【技術的課題】
本発明は、後頭受け部の左右に側頭受け部を連接させた頭部載置部の下側縁に頸部載置部を配置した枕において、枕の表面に落ち込み凹部が形成されないようにすることを課題としたものである。
【０００５】
【技術的手段】
この技術的課題を解決するための第一の技術的手段は、頭部載置部と頸部載置部との間並びに後頭受け部と側頭受け部との間を、その側縁を枕の表地と裏地とに縫合させたマチ布を区画壁としたこと、である。
【０００６】
頸部載置部と頭部載置部との間並びに後者の後頭受け部と側頭受け部との間がマチ布で区画されているから、載置部同志及び受け部同志を柔軟性を失うことなく隣り合わせることができる。
マチ布は、その側縁が枕の表地と裏地との間に縫合させて区画壁を形成しているから、それによって区画した部分の高さを保つことができる。
したがって、後頭受け部と側頭受け部とを区画するマチ布が頸部載置部と頭部載置部とを区画するマチ布と交差する部分においても、その高さが失われることがない。区画された載置部や受け部に詰め物を入れても、マチ布が交差するコーナー内側に至るまで詰め物を十分に入れることができるから、枕に落ち込み凹部が発生することはない。
【０００７】
マチ布同志が交差する部分や枕の周縁部と交差する部分は互いに縫合させても良い。
ミシンを利用してマチ布と表裏地とを縫合させると、機構上マチ布が交差する部分における端部を表裏地と縫合できない場合がある。この場合には、マチ布の端部を区画壁の長さより長く形成して自由端となし、これを交差する枕の外周縁の内側や他のマチ布に沿わせることによって、縫合不能部分において詰め物が隣へ移行するを阻止することが期待できる。
【０００８】
なお、頸部載置部、後頭受け部及び側頭受け部の詰め物充填口を独立させておくと、各部の詰め物の種類や量を、枕を使用する者の好みに応じて自由に選択、変更することができる。
この充填口は、その開閉を可能にしておくことが望ましい。
【０００９】
【本発明の効果】
枕の表面に落ち込み凹部が形成されない結果、載置部間及び受け部間において極端な凹凸が現れず、頭部を上、左右のいずれに向けても安定させられるから、安眠が得られる利点がある。
【００１０】
【実施の形態】
図１は、左右幅７０ｃｍ、上下長さ４０ｃｍの大きさの枕１１の斜視図を示したものである。
頸部載置部１５の上縁に沿って、中央に後頭受け部１２、その左右に側頭受け部１３、１３を形成した頭部載置部１４を連接させている。後述するように、頸部載置部１５と頭部載置部１４との間はマチ布２６で、後頭受け部１２と側頭受け部１３、１３との間はマチ布２４、２４によって、それぞれ区画されている（図２参照）。
この実施形態では、枕１１の表地２１と裏地２２の周囲２０は直接縫合させてあり、頸部載置部１５の左側縁  後頭受け部１２と側頭受け部１３、１３の上縁には、それぞれ開閉式開口部としてのジッパー１９、１９を取り付けてあり、ここから詰め物の出し入れを行うことになる。
なお、この枕１１への詰め物としては、頸部載置部１５には合成樹脂製のパイプを、後頭部載置部１２には檜材の粒体、側頭受け部１３にはパイプをそれぞれ充填してあり、充填量を調整して側頭受け部１３の高さが後頭受け部１２より高くなるようにしている。
【００１１】
各載置部及び受け部の区画は、高さ４ｃｍのマチ布２４、２６の側縁を表地２１と裏地２２とに縫着させることによって行っている。
頸部載置部１５と頭部載置部１４とを区画するマチ布２６は、表裏地２１、２２が縫合される部分の手前約  １．５ｃｍで側縁の縫着を停止し、両端部２７、２７を長めに構成しておいて表裏地の左右の縫合部２０の内側で屈曲させてこれに沿わせている。
また、後頭受け部１２と側頭受け部１３とを区画するマチ布２４、２４は、その側縁を表地２１と裏地２２とに縫着させているが、頸部載置部１２側のマチ布２６や表裏地２１、２２上縁の縫合部と交差する部分では、その手前約  １．５ｃｍで側縁の縫着が停止されていて、マチ布２４、２４の長めに構成した両端部２３、２５を、交差部で屈曲させてマチ布２６や表裏地の縫合部２０に沿わせるようにしている。
【００１２】
図４はマチ布３４、３６の変形例を示したもので、頸部載置部１２と頭部載置部１４とを区画するマチ布３６の高さを、中央部が低くなるように傾斜させて頸部載置部１２と後頭受け部１２との間に凹部を形成し、頭を置いた際に安定度が高まるようにしている。
【００１３】
枕１１内に充填する詰め物の種類は、枕材として利用されているいかなる詰め物を利用しても良い。この実施形態では区画に応じて異なるものを使用したが、同じものを詰めるようにしても良い。
枕を構成する表地と裏地は、詰め物の種類によって適宜設計されることになる。パイプや球状物、檜片など大粒の詰め物やブロック状又はシート状のスポンジなどの場合には、メッシュ地を使用することができる。メッシュ地を使用すると枕の通気性が極めて良い。また、綿やソバガラなどの細線状のものや小粒の場合には、織物や不織布などの布地を使用すれば良い。
また、本発明に係る枕をスポンジや綿などからなるシートと積層させて枕袋に入れて使用することもできる。
これらの選択は、使用者が行うことになる。
【図面の簡単な説明】
【図１】従来の枕の平面図
【図２】本発明に係る枕の斜視図
【図３】本発明の枕の表裏地を縫着する前の斜視図
【図４】他の実施形態におけるマチ布の斜視図
【符号の説明】
１１枕、  １２後頭受け部、  １３側頭受け部、  １４頭部載置部、  １５頸部載置部、
２１枕の表地、  ２２枕の裏地、    ２４，２６，３４，３６マチ布、  ２３，２５，２７マチ布の端部
【図１】
2004321455.tif 000003
【図２】
2004321455.tif 000004
【図３】
2004321455.tif 000005
【図４】
2004321455.tif 000006